【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
遊技機に設けられている電気部品を制御するための制御手段と、
前記電気部品の制御に関わり変動する制御データを遊技機への電力供給停止時にも保持可能な変動データ記憶手段と、
遊技機で使用される電源電圧を監視し、該電源電圧が第１の電圧となったことを検出したときに検出信号を出力する第１の電源監視手段と、
前記制御手段に対して作動の許容と作動の停止とのいずれかを示すリセット信号を供給するリセット信号作成手段とを備え、
前記制御手段は、前記第１の電源監視手段からの前記検出信号の入力に応じて変動データ記憶手段の記憶内容が正常であるか否かを診断するためのチェックデータを生成して当該変動データ記憶手段に保存する処理を含む前記電力供給停止準備処理を実行し、
前記リセット信号作成手段は、
遊技機で使用される電源電圧を監視し、前記電源電圧が前記第１の電圧よりも低い第２の電圧となったことを検出する第２の電源監視手段と、前記電源電圧が前記第２の電圧よりも低い第３の電圧となったことを検出する第３の電源監視手段とを含み、
前記第２の電源監視手段により前記電源電圧が前記第２の電圧を下回ったことを検出したときにリセット信号の状態を前記制御手段の作動の停止を示す状態にし、前記制御手段の作動の停止を示す状態にした後、前記電源電圧が第３の電圧にまで低下したことを前記第３の電源監視手段により検出することなく、前記第２の電源監視手段により前記第２の電圧に回復したことを検出したときは、さらに前記リセット信号の状態を前記制御手段の作動の許容を示す状態にする
ことを特徴とする遊技機。
【請求項２】
制御手段は、
電力供給開始時にチェックデータにもとづいて変動データ記憶手段の記憶内容が正常であるか否かの判定を行う判定手段と、
前記判定手段の判定結果が正常であるときには前記変動データ記憶手段に保持されている保持データにもとづいて制御を再開させる遊技状態復旧処理を実行し、前記判定手段の判定結果が正常でないときには初期化処理を実行する電力供給開始時処理手段とを有する
請求項１記載の遊技機。
【請求項３】
リセット信号作成手段は、リセット信号を、断続的に２回、作動の許容を示す状態にすることが可能である
請求項１または請求項２記載の遊技機。
【請求項４】
制御手段のうちには遊技進行を制御する遊技制御手段があり、
前記遊技制御手段が電力供給停止準備処理を実行する
請求項１ないし請求項３記載の遊技機。
【請求項５】
制御手段のうちには遊技者に価値を付与する制御を行う価値付与制御手段があり、
前記価値付与制御手段が電力供給停止準備処理を実行する
請求項１ないし請求項４記載の遊技機。
【請求項６】
遊技進行を制御する遊技制御手段が搭載された遊技制御基板と、前記遊技制御手段以外の制御手段が搭載された１つ以上の電気部品制御基板を備え、
リセット信号作成手段は、前記電気部品制御基板を作動状態にした後に前記遊技制御基板を作動状態にする
請求項１ないし請求項５記載の遊技機。
【手続補正２】
【補正対象書類名】明細書
【補正対象項目名】００１５
【補正方法】変更
【補正の内容】
【００１５】
【課題を解決するための手段】
本発明による遊技機は、遊技者が所定の遊技を行うことが可能な遊技機であって、遊技機に設けられている電気部品を制御するための制御手段と、電気部品の制御に関わり変動する制御データを遊技機への電力供給停止時にも保持可能な変動データ記憶手段と、遊技機で使用される電源電圧を監視し、電源電圧が第１の電圧となったことを検出したときに検出信号を出力する第１の電源監視手段と、制御手段に対して作動の許容と作動の停止とのいずれかを示すリセット信号を供給するリセット信号作成手段とを備え、制御手段は、第１の電源監視手段からの検出信号の入力に応じて変動データ記憶手段の記憶内容が正常であるか否かを診断するためのチェックデータを生成して当該変動データ記憶手段に保存する処理を含む電力供給停止準備処理を実行し、リセット信号作成手段は、遊技機で使用される電源電圧を監視し、電源電圧が第１の電圧よりも低い第２の電圧となったことを検出する第２の電源監視手段と、電源電圧が第２の電圧よりも低い第３の電圧となったことを検出する第３の電源監視手段とを含み、第２の電源監視手段により電源電圧が第２の電圧を下回ったことを検出したときにリセット信号の状態を制御手段の作動の停止を示す状態にし、制御手段の作動の停止を示す状態にした後、電源電圧が第３の電圧にまで低下したことを第３の電源監視手段により検出することなく、第２の電源監視手段により第２の電圧に回復したことを検出したときは、さらにリセット信号の状態を制御手段の作動の許容を示す状態にすることを特徴とする。


【手続補正３】
【補正対象書類名】明細書
【補正対象項目名】００１６
【補正方法】変更
【補正の内容】
【００１６】
制御手段が、電力供給開始時にチェックデータにもとづいて変動データ記憶手段の記憶内容が正常であるか否かの判定を行う判定手段と、判定手段の判定結果が正常であるときには変動データ記憶手段に保持されている保持データにもとづいて制御を再開させる遊技状態復旧処理を実行し、判定手段の判定結果が正常でないときには初期化処理を実行する電力供給開始時処理手段とを有する構成とされていてもよい。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２３
【補正方法】変更
【補正の内容】
【００２３】
制御手段のうちには遊技者に価値を付与する制御を行う価値付与制御手段があり、価値付与制御手段が電力供給停止準備処理を実行するように構成されていてもよい。なお、価値とは、入賞等の所定の条件成立に応じて遊技者に払い出される遊技球，コイン等の遊技媒体や、入賞等の所定の条件成立に応じて遊技者に付与される得点等のことである。


【手続補正９】
【補正対象書類名】明細書
【補正対象項目名】０２７０
【補正方法】変更
【補正の内容】
【０２７０】
【発明の効果】
以上のように、本発明によれば、遊技機を、遊技者が所定の遊技を行うことが可能な遊技機であって、遊技機に設けられている電気部品を制御するための制御手段と、電気部品の制御に関わり変動する制御データを遊技機への電力供給停止時にも保持可能な変動データ記憶手段と、遊技機で使用される電源電圧を監視し、電源電圧が第１の電圧となったことを検出したときに検出信号を出力する第１の電源監視手段と、制御手段に対して作動の許容と作動の停止とのいずれかを示すリセット信号を供給するリセット信号作成手段とを備え、制御手段は、第１の電源監視手段からの検出信号の入力に応じて変動データ記憶手段の記憶内容が正常であるか否かを診断するためのチェックデータを生成して当該変動データ記憶手段に保存する処理を含む電力供給停止準備処理を実行し、リセット信号作成手段は、遊技機で使用される電源電圧を監視し、電源電圧が第１の電圧よりも低い第２の電圧となったことを検出する第２の電源監視手段と、電源電圧が第２の電圧よりも低い第３の電圧となったことを検出する第３の電源監視手段とを含み、第２の電源監視手段により電源電圧が第２の電圧を下回ったことを検出したときにリセット信号の状態を制御手段の作動の停止を示す状態にし、制御手段の作動の停止を示す状態にした後、電源電圧が第３の電圧にまで低下したことを第３の電源監視手段により検出することなく、第２の電源監視手段により第２の電圧に回復したことを検出したときは、さらにリセット信号の状態を制御手段の作動の許容を示す状態にするように構成したので、停電等の発生時に遊技状態を保存するように構成された遊技機において、ごく短時間の電源瞬断等が生じても所定のリセット信号が制御手段に与えられるので、制御状態に支障を来すことを防止できる効果がある。また、電源の監視によって、容易に、ごく短時間の電源瞬断等が生じても制御状態に支障を来さないようにすることができる。また、リセット信号作成手段は、確実に電源監視手段よりも遅れて電源電圧の電圧低下を検出することができ、電力供給停止準備処理が完了した後に制御手段をシステムリセットすることができる。さらに、電源復旧時等にチェックデータにもとづいてデータが破壊されていないかどうかチェックするように構成することが可能になり、保存されるデータの信頼性を向上させることができる。
【手続補正１０】
【補正対象書類名】明細書
【補正対象項目名】０２７１
【補正方法】削除
【補正の内容】
【手続補正１１】
【補正対象書類名】明細書
【補正対象項目名】０２７２
【補正方法】削除
【補正の内容】
【手続補正１２】
【補正対象書類名】明細書
【補正対象項目名】０２７３
【補正方法】削除
【補正の内容】
【手続補正１３】
【補正対象書類名】明細書
【補正対象項目名】０２７４
【補正方法】削除
【補正の内容】
【手続補正１４】
【補正対象書類名】明細書
【補正対象項目名】０２７６
【補正方法】削除
【補正の内容】